(57)【要約】【課題】体液処理装置に用いられるパネル回路のチューブがパネルから外れることを抑制する。【解決手段】パネル回路１は、体液処理装置２の液体回路４０の少なくとも一部を構成する、可撓性を有するチューブ１５０と、チューブ１５０の一部を保持するパネル１５１を有している。パネル１５１の外周部Ｒ１には、チューブ１５０をパネル表面に沿った一の方向から嵌め込んで係止し、チューブ１５０の少なくとも嵌め込み方向Ｘの前方側の側面を押さえる係止部１６０と、係止部１６０よりもパネル１５１の外側に設けられ、係止部１６０に係止されたチューブ１５０の嵌め込み方向Ｘの後方側の側面を押さえる押さえ部１６１と、係止部１６０よりもパネル１５１の内側に設けられ、係止部１６０に係止されたチューブ１５０をチューブ１５０の延在方向Ｙに沿って収容し保持する溝部１６２と、が設けられている。【選択図】図４
2018143365.tif 000002
【特許請求の範囲】
【請求項１】
体液処理装置に対し装着可能なパネル回路であって、
体液処理装置の液体回路の少なくとも一部を構成する、可撓性を有するチューブと、
前記チューブの一部を保持するパネルと、を有し、
前記パネルの外周部には、
前記チューブをパネル表面に沿った一の方向から嵌め込んで係止し、前記チューブの少なくとも嵌め込み方向前方側の側面を押さえる係止部と、
前記係止部よりも前記パネルの外側に設けられ、前記係止部に係止されたチューブの嵌め込み方向後方側の側面を押さえる押さえ部と、
前記係止部よりも前記パネルの内側に設けられ、前記係止部に係止された前記チューブをチューブの延在方向に沿って収容し保持する溝部と、が設けられている、パネル回路。
【請求項２】
前記溝部には、前記チューブの位置を前記係止部から前記溝部に向けて次第に下げる傾斜部が設けられている、請求項１に記載のパネル回路。
【請求項３】
前記係止部と前記押さえ部の最近接距離ｘと前記チューブの外径ｙとの関係が、ｘ＜ｙを満たす、請求項１又は２に記載のパネル回路。
【請求項４】
前記チューブは、前記係止部及び／又は前記押さえ部に当接することにより前記チューブの延在方向の位置ずれを抑制する拡径部を有する、請求項１〜３のいずれに記載のパネル回路。
【請求項５】
前記係止部と前記押さえ部の間に前記チューブの拡径部が設けられている、請求項４に記載のパネル回路。
【請求項６】
前記パネルには、前記拡径部を収容する凹部が設けられている、請求項４又は５に記載のパネル回路。
【請求項７】
前記パネルは、前記チューブを係止する他の係止部及び／又は前記チューブの側面を押さえる他の押さえ部を有し、
前記チューブは、前記他の係止部及び／又は前記他の押さえ部に当接することにより前記チューブの延在方向の位置ずれを抑制する他の拡径部を有する、請求項１〜６のいずれかに記載のパネル回路。
【請求項８】
前記チューブの他の拡径部の前記延在方向の両側に前記他の係止部及び／又は前記他の押さえ部が配置されている、請求項７に記載のパネル回路。
【請求項９】
前記パネルには、前記他の拡径部を収容する凹部が設けられている、請求項７又は８に記載のパネル回路。
【請求項１０】
前記チューブは、第１のチューブから第２のチューブが分岐する分岐部を有し、
前記パネルには、前記分岐部の第１のチューブの延在方向及び第２のチューブの延在方向の位置ずれを抑制する突起部が設けられている、請求項１〜９のいずれかに記載のパネル回路。
【請求項１１】
前記分岐部は拡径している、請求項１０に記載のパネル回路。
【請求項１２】
前記パネルには、前記拡径した分岐部を収容する凹部が設けられている、請求項１１に記載のパネル回路。
【請求項１３】
前記パネルは、ＡＢＳ、ＰＣ、ＰＶＣ、ＰＳ、ＰＰ、ＰＯＭ、ＰＥ、ＰＭＭＡ、ＳＡＮ、又はＰＡのいずれかを含む樹脂を含む、請求項１〜１２のいずれかに記載のパネル回路。
【請求項１４】
前記パネルは、射出成型により構成されている、請求項１〜１３のいずれかに記載のパネル回路。
【請求項１５】
前記チューブは、前記パネルの複数方向の外周部から外部に出ている、請求項１〜１４のいずれかに記載のパネル回路。
【請求項１６】
前記チューブは、前記パネルから２５ｃｍ以上外部に出ている、請求項１〜１５のいずれかに記載のパネル回路。
【請求項１７】
前記パネルの平面積が５００ｃｍ2以下である、請求項１〜１６のいずれかに記載のパネル回路。
【請求項１８】
前記体液処理装置が、腹水処理装置又は血液処理装置である、請求項１〜１７のいずれかに記載のパネル回路。
【発明の詳細な説明】
【技術分野】
【０００１】
本発明は、パネル回路に関する。
【背景技術】
【０００２】
例えば患者から採取された腹水から細菌やがん細胞などの病因物質を除去する腹水処理は、通常腹水処理装置を用いて行われている。腹水処理装置は、腹水を流すチューブや濾過器などからなる液体回路と、制御装置やポンプが内蔵された装置本体を備えている。
【０００３】
この種の腹水処理装置は、腹水処理を行う度に液体回路を交換する必要があるため、装置本体に対し液体回路を取り付け、取り外ししやすいように、液体回路のチューブの一部をパネルに保持させたパネル回路を備えている（特許文献１参照）。このパネル回路は、装置本体に着脱自在である。
【先行技術文献】
【特許文献】
【０００４】
【特許文献１】特開２０１５−７３８４７号公報
【発明の概要】
【発明が解決しようとする課題】
【０００５】
ところで、上述のパネル回路は、パネルにチューブの一部を取り付けて、チューブの一部がパネルに保持された状態で移送されるが、この際、例えばパネルから飛び出た部分のチューブが揺れたり、引っ張られたり、押されたりすることがある。この場合、パネルの外周部でチューブを保持している部分に大きな外力が加わり、パネルの外周部からチューブが外れることがある。特に可撓性のあるチューブはパネルから外れやすい。そして、一旦チューブが外れると、再度チューブをパネルに保持させるのに手間がかかる。また、チューブが外れ、チューブが適切な位置、方向にないことで、チューブを装置本体へ装着する際に、誤装着が起こりやすくなる。
【０００６】
本出願はかかる点に鑑みてなされたものであり、腹水処理装置などの体液処理装置に用いられるパネル回路のチューブがパネルから外れることを抑制し、チューブの装置本体への誤装着も抑制することをその目的とする。
【課題を解決するための手段】
【０００７】
本発明者らは、鋭意検討した結果、パネルの外周部に、パネルの外側から内側に向けて押さえ部、係止部、溝部をこの順で設けることにより、上記目的を達成できることを見出し、本発明を完成するに至った。
【０００８】
すなわち、本発明は以下の態様を含む。
（１）体液処理装置に対し装着可能なパネル回路であって、体液処理装置の液体回路の少なくとも一部を構成する、可撓性を有するチューブと、前記チューブの一部を保持するパネルと、を有し、前記パネルの外周部には、前記チューブをパネル表面に沿った一の方向から嵌め込んで係止し、前記チューブの少なくとも嵌め込み方向前方側の側面を押さえる係止部と、前記係止部よりも前記パネルの外側に設けられ、前記係止部に係止されたチューブの嵌め込み方向後方側の側面を押さえる押さえ部と、前記係止部よりも前記パネルの内側に設けられ、前記係止部に係止された前記チューブをチューブの延在方向に沿って収容し保持する溝部と、が設けられている、パネル回路。
（２）前記溝部には、前記チューブの位置を前記係止部から前記溝部に向けて次第に下げる傾斜部が設けられている、（１）に記載のパネル回路。
（３）前記係止部と前記押さえ部の最近接距離ｘと前記チューブの外径ｙとの関係が、ｘ＜ｙを満たす、（１）又は（２）に記載のパネル回路。
（４）前記チューブは、前記係止部及び／又は前記押さえ部に当接することにより前記チューブの延在方向の位置ずれを抑制する拡径部を有する、（１）〜（３）のいずれに記載のパネル回路。
（５）前記係止部と前記押さえ部の間に前記チューブの拡径部が設けられている、（４）に記載のパネル回路。
（６）前記パネルには、前記拡径部を収容する凹部が設けられている、（４）又は（５）に記載のパネル回路。
（７）前記パネルは、前記チューブを係止する他の係止部及び／又は前記チューブの側面を押さえる他の押さえ部を有し、前記チューブは、前記他の係止部及び／又は前記他の押さえ部に当接することにより前記チューブの延在方向の位置ずれを抑制する他の拡径部を有する、（１）〜（６）のいずれかに記載のパネル回路。
（８）前記チューブの他の拡径部の前記延在方向の両側に前記他の係止部及び／又は前記他の押さえ部が配置されている、（７）に記載のパネル回路。
（９）前記パネルには、前記他の拡径部を収容する凹部が設けられている、（７）又は（８）に記載のパネル回路。
（１０）前記チューブは、第１のチューブから第２のチューブが分岐する分岐部を有し、前記パネルには、前記分岐部の第１のチューブの延在方向及び第２のチューブの延在方向の位置ずれを抑制する突起部が設けられている、（１）〜（９）のいずれかに記載のパネル回路。
（１１）前記分岐部は拡径している、（１０）に記載のパネル回路。
（１２）前記パネルには、前記拡径した分岐部を収容する凹部が設けられている、（１１）に記載のパネル回路。
（１３）前記パネルは、ＡＢＳ、ＰＣ、ＰＶＣ、ＰＳ、ＰＰ、ＰＯＭ、ＰＥ、ＰＭＭＡ、ＳＡＮ、又はＰＡのいずれかを含む樹脂を含む、（１）〜（１２）のいずれかに記載のパネル回路。
（１４）前記パネルは、射出成型により構成されている、（１）〜（１３）のいずれかに記載のパネル回路。
（１５）前記チューブは、前記パネルの複数方向の外周部から外部に出ている、（１）〜（１４）のいずれかに記載のパネル回路。
（１６）前記チューブは、前記パネルから２５ｃｍ以上外部に出ている、（１）〜（１５）のいずれかに記載のパネル回路。
（１７）前記パネルの平面積が５００ｃｍ2以下である、（１）〜（１６）のいずれかに記載のパネル回路。
（１８）前記体液処理装置が、腹水処理装置又は血液処理装置である、（１）〜（１７）のいずれかに記載のパネル回路。
【発明の効果】
【０００９】
本発明によれば、体液処理装置に用いられるパネル回路のチューブがパネルから外れることを抑制できるので、チューブを再度パネルに保持させる手間を低減できる。また、チューブの装置本体への誤装着も抑制できる。
【図面の簡単な説明】
【００１０】
【図１】体液処理装置とパネル回路の概略を示す説明図である。
【図２】液体回路の一例を示す説明図である。
【図３】パネル回路の一例を示す説明図である。
【図４】パネルの外周部の構成の一例を示す説明図である。
【図５】チューブを外した状態のパネルの外周部の構成の一例を示す斜視図である。
【図６】チューブを嵌めた状態のパネルの外周部の構成の一例を示す斜視図である。
【図７】係止部と押さえ部の距離とチューブの外径との関係を示す説明図である。
【図８】チューブが拡径部を有する場合のパネルの外周部の一例を示す説明図である。
【図９】拡径部を係止部よりも内側に設けた場合のパネルの外周部の一例を示す説明図である。
【図１０】凹部を有するパネルの外周部の一例を示す説明図である。
【図１１】拡径部と凹部の断面を示す説明図である。
【図１２】パネルの他の外周部の一例を示す説明図である。
【図１３】パネルの内側領域の一例を示す説明図である。
【図１４】パネルの他の外周部の一例を示す説明図である。
【図１５】分岐部のあるパネルの他の外周部の一例を示す説明図である。
【発明を実施するための形態】
【００１１】
以下、図面を参照して、本発明の好ましい実施の形態について説明する。なお、同一の要素には同一の符号を付し、重複する説明を省略する。また、上下左右等の位置関係は、特に断らない限り、図面に示す位置関係に基づくものとする。さらに、図面の寸法比率は、図示の比率に限定されるものではない。また、以下の実施の形態は、本発明を説明するための例示であり、本発明はこの実施の形態に限定されるものではない。
【００１２】
図１は、本実施の形態に係るパネル回路１と、パネル回路１が装着される体液処理装置２を示す説明図である。
【００１３】
＜体液処理装置＞
例えば体液処理装置２は、装置本体部１０、操作部１１、台車部１２及びポール部１３等を有している。
【００１４】
装置本体部１０は、腹水処理や血液処理等の体液処理を実行するために必要な各種機器、装置、部材が内蔵或いは取り付け可能に構成されている。例えば装置本体部１０には、後述の液体回路４０のチューブ１５０を開閉する各種バルブ群（バルブ７１、７２、９０、９２、１１０、１２０）、液体回路４０の液体を圧送するポンプ群（ポンプ９１、１００）、液体回路４０の圧力を検出する圧力センサ（１３０、１３１）、中空糸膜モジュールなどの液体の分離器（濾過器５１、濃縮器５２）等が、内蔵或いは取り付け可能になっている。装置本体部１０の側面にはパネル回路１が装着可能である。
【００１５】
操作部１１は、例えばタッチパネルになっており、体液処理の各種設定を入力したり、体液処理の運転状態を表示できるようになっている。操作部１１には、コンピュータなどの制御装置が設けられており、制御装置は、各種機器を制御して体液処理を実行する。ポール部１３には、体液処理で用いられる貯留バッグ（腹水バッグ５０、濃縮腹水バッグ５３）等を吊下げることができる。
【００１６】
＜液体回路＞
体液処理装置２は、体液処理を行うために各種液体を流す液体回路を備えている。図２は、液体回路４０の一例を示す説明図である。液体回路４０は、例えば腹水処理を行うための回路例である。
【００１７】
液体回路４０は、腹水バッグ５０と、濾過器５１と、濃縮器５２と、濃縮腹水バッグ５３と、第１のライン５４、第２のライン５５、第３のライン５６と、廃液ライン５７と、除水ライン５８と、循環ライン５９と、洗浄ライン６０と、洗浄液バッグ６１、ドリップチャンバ６２等を備えている。
【００１８】
腹水バッグ５０は、患者から採取された腹水を収容することができる。
【００１９】
濾過器５１は、例えば円筒形状を有している。濾過器５１は、長手方向の両端部に通液口５１ａ、５１ｂを有し、側面に２つの通液口５１ｃ、５１ｄを有している。
【００２０】
濾過器５１は、例えば細菌やがん細胞などの所定の病因物質を除去し、アルブミンなどの所定の有用成分を通過させる中空糸膜などの濾過膜７０を備えている。濾過膜７０の内側領域（一次側）は、通液口５１ａ、５１ｂに通じ、濾過膜７０の外側領域（二次側）は、通液口５１ｃ、５１ｄに通じている。
【００２１】
第１のライン５４は、腹水バッグ５０と濾過器５１を接続している。第１のライン５４の下流側の端部は、濾過器５１の通液口５１ａに接続されている。第１のライン５４には、開閉バルブ７２が設けられている。
【００２２】
廃液ライン５７は、濾過器５１の通液口５１ｂに通じている。廃液ライン５７には、開閉バルブ７１が設けられている。
【００２３】
濃縮器５２は、例えば円筒形状を有している。濃縮器５２は、長手方向の両端部に通液口５２ａ、５２ｂを有し、側面に２つの通液口５２ｃ、５２ｄを有している。
【００２４】
濃縮器５２は、例えば濾過器５１で濾過された濾過腹水から水分を除去して濾過腹水を濃縮する中空糸膜などの濃縮膜８０を備えている。濃縮膜８０の内側領域（一次側）は、通液口５２ａ、５２ｂに通じ、濃縮膜８０の外側領域（二次側）は、通液口５２ｃ、５２ｄに通じている。なお、本実施の形態において通液口５２ｄは閉鎖されている。
【００２５】
第２のライン５５は、濾過器５１と濃縮器５２を接続している。第２のライン５５の上流側の端部は、濾過器５１の通液口５１ｃに接続され、下流側の端部は、濃縮器５２の通液口５２ａに接続されている。
【００２６】
第２のライン５５の途中には、ドリップチャンバ６２が接続されている。また、第２のライン５５には、開閉バルブ９０、第１のポンプ９１、開閉バルブ９２が設けられている。
【００２７】
第３のライン５６は、濃縮器５２と濃縮腹水バッグ５３を接続している。第３のライン５６の上流側の端部は、濃縮器５２の通液口５２ｂに接続され、下流側の端部は、濃縮腹水バッグ５３に接続されている。
【００２８】
第３のライン５６には、第２のポンプ１００が設けられている。
【００２９】
除水ライン５８は、濃縮器５２の通液口５２ｃに接続されている。除水ライン５８の下流側は、排液部に通じている。
【００３０】
循環ライン５９は、濃縮腹水バッグ５３と第２のライン５５を接続している。循環ライン５９は、第２のライン５５における第１のポンプ９１と開閉バルブ９０との間に接続されている。循環ライン５９には、開閉バルブ１１０が設けられている。循環ライン５９と第２のライン５５との接続部分は、分岐部１１１となっている。
【００３１】
洗浄ライン６０は、洗浄液バッグ６１と第２のライン５５を接続している。洗浄ライン６０は、第２のライン５５におけるドリップチャンバ６２と濃縮器５２との間に接続されている。洗浄ライン６０には、開閉バルブ１２０が設けられている。第２のライン５５と洗浄ライン６０との接続部分は、分岐部１２１となっている。
【００３２】
濾過器５１の通液口５１ｄには、第１の圧力測定装置１３０が接続されている。ドリップチャンバ６２には、第２の圧力測定装置１３１が接続されている。
【００３３】
第１のライン５４、第２のライン５５、第３のライン５６、廃液ライン５７、除水ライン５８、循環ライン５９及び洗浄ライン６０には、軟質性で可撓性のあるチューブ１５０が用いられている。
【００３４】
以上のように構成された体液処理装置２では、腹水処理が行われる。例えば第１のポンプ９１と第２のポンプ１００が作動し、腹水バッグ５０の腹水が、第１のライン５４を通じて濾過器５１に送られる。腹水は、濾過器５１の通液口５１aから濾過膜７０の入口側（内側領域）に流入し、濾過膜７０を通過して、濾過膜７０の出口側（外側領域）に流出する。このとき、腹水から所定の病因物質が除去され、腹水が濾過される。濾過膜７０の出口側に流出した濾過腹水は、濾過器５１から第２のライン５５に流出し、第２のライン５５を通って濃縮器５２に送られ、濃縮器５２の濃縮膜８０の入口側に流入する。ここで、濾過腹水の一部の水分が、濃縮膜８０を通過し濃縮膜８０の出口側に流出し除水ライン５８を通って排出される。これにより、濾過腹水から水分が除去され、濾過腹水が濃縮される。濃縮器５２で濃縮された濃縮腹水は、第３のライン５６を通って濃縮腹水バッグ５３に収容される。また、必要に応じて、開閉バルブ９０が閉じられ、濃縮腹水バッグ５３の濃縮腹水が循環ライン５９を通って第２のライン５５に戻され、濃縮器５２、第３のライン５６を通って濃縮腹水バッグ５３に戻される。こうして、濃縮腹水が循環され、再濃縮される。
【００３５】
また、例えば濾過器５１の濾過膜７０を洗浄する際には、洗浄液バッグ６１の洗浄液が洗浄ライン６０及び第２のライン５５を通じて濾過器５１に供給され、濾過器５１の濾過膜７０を通って廃液ライン５７から排出される。
【００３６】
＜パネル回路＞
図３に示すようにパネル回路１は、液体回路４０の一部を構成するチューブ１５０と、当該チューブ１５０の一部を保持するパネル１５１を有している。
【００３７】
チューブ１５０は、軟質性及び可撓性を有し、例えば透明のポリ塩化ビニル等で構成されている。
【００３８】
パネル１５１は、硬質の樹脂等で構成されている。パネル１５１の材質は、例えばＡＢＳ、ＰＣ（ポリカーボネート）、ＰＶＣ（ポリ塩化ビニル）、ＰＳ（ポリスチレン）、ＰＰ（ポリプロピレン）、ＰＯＭ（ポリアセタール）、ＰＥ（ポリエチレン）、ＰＭＭＡ（ポリメタクリル酸メチル）、ＳＡＮ（スチレン-アクリロニトリル）、ＰＡ（ポリアミド）のいずれかを含む樹脂を含んでいる。パネル１５１は、例えば射出成形により、略方形の薄い板状に形成されている。パネル１５１は、例えば５００ｃｍ2以下、好ましくは４００ｃｍ2以下の平面積を有している。
【００３９】
パネル１５１には、パネル表面に沿ってチューブ１５０が配設されている。例えばパネル１５１には、第２のライン５５、第３のライン５６、循環ライン５９、洗浄ライン６０の一部のチューブ１５０が配設されている。チューブ１５０は、パネル１５１の複数辺の外周部Ｒから外側に突出している。なお、本実施の形態においては、パネル１５１の外縁から１０ｃｍ以内の部分を外周部Ｒとする。チューブ１５０は、パネル１５１の複数箇所、例えば１０箇所以上から外部に突出している。チューブ１５０は、パネル１５１から２５ｃｍ以上、好ましくは３５ｃｍ以上外部に出ている。パネル回路１の移送時には、チューブ１５０のパネル１５１から出ている部分がまとめて結束されていてもよい。
【００４０】
チューブ１５０は、パネル１５１の複数箇所で保持されている。例えば図４〜図６に示すようにパネル１５１の外周部Ｒ１には、チューブ１５０をパネル表面に沿った一の方向から嵌め込んで係止し、チューブ１５０の嵌め込み方向Ｘの前方の側面を押さえる係止部１６０と、係止部１６０に係止されたチューブ１５０の嵌め込み方向Ｘの後方の側面を押さえる押さえ部１６１と、係止部１６０に係止されたチューブ１５０をチューブ１５０の延在方向Ｙに沿って収容し保持する溝部１６２と、が設けられている。図４は、パネル１５１の外周部Ｒ１の平面図であり、図５は、チューブ１５０を外した状態のパネル１５１の外周部Ｒ１の斜視図であり、図６は、チューブ１５０を取り付けた状態のパネル１５１の外周部Ｒ１の斜視図である。
【００４１】
係止部１６０は、図４〜図６に示すようにチューブ１５０の嵌め込み方向Ｘの前方側に位置しパネル１５１の基準表面Ａ上に立設された側面部１６０ａと、側面部１６０ａから嵌め込み方向Ｘの後方側に向けてチューブ１５０の上面に円弧状に回り込む円弧部１６０ｂを有している。係止部１６０の嵌め込み方向Ｘの後方側の側面は、開口している。係止部１６０は、この開口からチューブ１５０を嵌め込むことによりチューブ１５０を係止できる。例えば側面部１６０ａのパネル１５１の内側方向（図４の延在方向Ｙの上方向）には、チューブ１５０の延在方向Ｙに沿ったガイド壁１６３が形成されている。なお、パネル１５１の基準表面Ａとは、パネル１５１の表面のうち最も面積の多い平面をいう。
【００４２】
押さえ部１６１は、係止部１６０よりもパネル１５１の外側（図４の下側）であって、係止部１６０よりも嵌め込み方向Ｘの後方側（図４の右側）にずれた位置に設けられている。押さえ部１６１は、例えば方形の薄い板形状を有し、パネル１５１の基準表面Ａに立設されている。押さえ部１６１は、板側面１６１ａが嵌め込み方向Ｘに向くように設けられている。
【００４３】
係止部１６０と押さえ部１６１は、図７に示すように係止部１６０と押さえ部１６１の最近接距離ｘとチューブ１５０の外径ｙとの関係が、ｘ＜ｙを満たすように配置されている。
【００４４】
溝部１６２は、図４〜図６に示すように係止部１６０よりもパネル１５１の内側（図４の上側）に設けられている。溝部１６２は、パネル１５１の内側方向に向けたチューブ１５０の延在方向Ｙに沿って形成されている。図５に示すように溝部１６２は、パネル１５１の基準表面Ａよりも低い底面１６２ａと、チューブ１５０の両側面を覆う側面１６２ｂを有している。溝部１６２は、例えばチューブ１５０の外径寸法分の深さを有している。
【００４５】
図４〜図６に示すように側面１６２ｂには、チューブ１５０を保持するための突起部１６４が形成されている。突起部１６４は、両側の側面１６２ｂの最上部から溝部１６２の中心側に向けて突出している。突起部１６４は、両側の側面１６２ｂの互いに対向する位置に形成されている。
【００４６】
溝部１６２には、チューブ１５０の位置を係止部１６０から溝部１６２に向けて次第に下げる傾斜部１６５が設けられている。溝部１６２は、例えばチューブ１５０の延在方向Ｙが９０度程度曲がるように形成されている。
【００４７】
図３に示したようにパネル１５１には、係止部１６０、押さえ部１６１以外にも多数の係止部１８０、押さえ部１８１、ガイド壁１８２が設けられている。
【００４８】
本実施の形態によれば、パネル１５１の外周部Ｒ１に係止部１６０と、押さえ部１６１と、溝部１６２が設けられている。チューブ１５０のパネル１５１から出た部分に外力が作用し、例えばパネル１５１の外周部Ｒ１のチューブ１５０に対し嵌め込み方向Ｘの前後方向の外力が作用した場合に、係止部１６０及び押さえ部１６１によりチューブ１５０が押さえられ、チューブ１５０の位置ずれが抑制される。特に、押さえ部１６１が、係止部１６０よりもパネル１５１の外側に位置しているので、嵌め込み方向Ｘの後方側に向けて外力が作用した場合に押さえ部１６１がチューブ１５０を押さえて、チューブ１５０が係止部１６０から外れることを抑制できる。また、嵌め込み方向Ｘの前方側に向けて外力が作用した場合には、係止部１６０の側面部１６０ａがチューブ１５０を押さえる。また、チューブ１５０を係止部１６０と押さえ部１６１で押さえるので、高温環境下で硬度の変わりやすい可撓性のチューブ１５０でも、パネル１５１から外れたり、適切な位置からずれることを抑制できる。また、チューブ１５０が外れにくいので、パネル１５１のチューブ１５０が適切な位置、方向にあり、チューブ１５０の装置本体へ誤装着を抑制できる。
【００４９】
パネル１５１の外周部Ｒ１のチューブ１５０に対し延在方向Ｙの外力が作用した場合には、チューブ１５０が溝部１６２に保持されているので、チューブ１５０の延在方向Ｙのずれを抑制できる。特に、チューブ１５０が延在方向Ｙの内側（図４の上側）にずれると、チューブ１５０が弛んでパネル１５１の表面から浮き上がり、それによってチューブ１５０が係止部１６０から外れやすくなるが、本実施の形態によれば、係止部１６０の内側に溝部１６２があるので、チューブ１５０が延在方向Ｙの内側にずれることを防止し、この結果チューブ１５０が係止部１６０から外れることを抑制できる。
【００５０】
またパネル１５１から外部に出ているチューブ１５０に対し、異なる部品が接続されている箇所、又はチューブ１５０が集中的に巻きつけてある箇所の近傍は、立体障壁や部分的な重さのかかり方によって特にチューブ１５０がパネル１５１から外れやすく、ずれやすくなるが、本実施の形態によれば、かかる場合においてもチューブ１５０がパネル１５１から外れることを効果的に抑制できる。
【００５１】
溝部１６２にチューブ１５０の位置を係止部１６０から溝部１６２に向けて次第に下げる傾斜部１６５が設けられているので、チューブ１５０が溝部１６２に入る際にチューブ１５０が屈曲することを防止できる。
【００５２】
係止部１６０と押さえ部１６１の最近接距離ｘとチューブ１５０の外径ｙとの関係が、ｘ＜ｙを満たしているので、係止部１６０と押さえ部１６１との間からチューブ１５０が外れることを効果的に抑制できる。
【００５３】
チューブ１５０は、パネル１５１の複数方向の外周部Ｒからパネル１５１の外部に出ているので、各チューブ１５０の体液処理装置２への取り付け間違いを低減できる。なお、チューブ１５０がパネル１５１の複数方向から外部に出ている場合、チューブ１５０に外力がかかりやすくなるが、このような場合においてチューブ１５０を係止部１６０、押さえ部１６１及び溝部１６２で押さえることにより、チューブ１５０が外れることを抑制できる。
【００５４】
チューブ１５０は、パネル１５１から２５ｃｍ以上外部に出ており、パネル１５１に固定されないチューブ１５０の割合が比較的大きくなり、チューブ１５０に外力がかかりやすいが、このような場合において、パネル１５１の外周部Ｒ１に係止部１６０、押さえ部１６１及び溝部１６２を設ける効果は大きい。
【００５５】
パネル１５１の平面積が５００ｃｍ2以下であり、パネル１５１が小型であるので、パネル１５１に使用する材料の量を少なくしつつ、小型の装置に装着でき、包装形態も小さくすることができる。ここで、平面積が小さく、本来、外力によりチューブ１５０が外れやすいパネル１５１においても、チューブ１５０を係止部１６０、押さえ部１６１及び溝部１６２で押さえることにより、チューブ１５０を保持する部分を増やすことなく、チューブ１５０がパネル１５１から外れることを効果的に抑制できる。
【００５６】
以上の実施の形態において、チューブ１５０は、図８に示すように他の部分よりも径が大きい拡径部１９０を有していてもよい。拡径部１９０は、係止部１６０と押さえ部１６１の間に配置される。拡径部１９０は、例えば円筒状に形成されている。拡径部１９０は、隣接するチューブ１５０の他の部分に対し連結されて形成されてもよいし、他の部分と一体成型されてもよい。また、拡径部１９０は、チューブ１５０の他の部分よりも硬い材質で形成されていてもよい。拡径部１９０は、チューブ１５０の他の部分よりも例えば０．８ｍｍ以上半径が大きい。
【００５７】
かかる例によれば、チューブ１５０の延在方向Ｙに外力が作用しても、拡径部１９０が係止部１６０或いは押さえ部１６１に当接してチューブ１５０が延在方向Ｙに移動することを抑制できる。この結果、チューブ１５０が弛んでパネル１５１の表面から浮き上がり係止部１６０から外れることを抑制できる。
【００５８】
図８において拡径部１９０は、係止部１６０と押さえ部１６１の間に配置されていたが、拡径部１９０は、係止部１６０或いは押さえ部１６１のみに当接するように配置されていてもよい。例えば図９に示すように拡径部１９０は、係止部１６０の内側に隣接するように配置されていてもよい。この場合、チューブ１５０が外側に引っ張られても、拡径部１９０が係止部１６０に当接しストッパーとなってチューブ１５０が係止部１６０から外れることを抑制できる。
【００５９】
パネル１５１には、図１０及び図１１に示すように拡径部１９０を収容する凹部２００が形成されていてもよい。凹部２００は、基準平面Ａに対し凹んでおり、拡径部１９０とその他の部分との半径差ｄと同程度の深さＤを有している。かかる場合、チューブ１５０とパネル１５１の表面が拡径部１９０によって離れてチューブ１５０の流路が曲がることを抑制できる。
【００６０】
以上の実施の形態において、パネル１５１は、チューブ１５０をパネル表面に沿った一の方向から嵌め込んで係止する他の係止部１８０と、係止部１８０に係止されたチューブの嵌め込み方向の側面を押さえる他の押さえ部１８１を備えている。チューブ１５０は、係止部１８０又は押さえ部１８１の少なくともいずれかに当接することにより、チューブ１５０の延在方向Ｙの位置ずれを抑制する他の拡径部２１０を備えていてもよい。
【００６１】
例えば図１２に示すようにパネル１５１の外周部Ｒ２には係止部１８０が設けられ、その係止部１８０のチューブ１５０の延在方向Ｙの内側に拡径部２１０が形成されている。また、パネル１５１の外周部Ｒ２には押さえ部１８１が設けられ、押さえ部１８１は、係止部１８０の嵌め込み方向Ｘの後方側の拡径部２１０の側面を押さえるようにしてよい。かかる場合、例えばチューブ１５０が延在方向Ｙの外側（図１２の上側）に引っ張られても拡径部２１０が係止部１８０に当接するので、チューブ１５０の延在方向Ｙへの位置ずれを抑制できる。
【００６２】
例えば図１３に示すようにパネル１５１の内側領域Ｐには係止部１８０と押さえ部１８１が設けられ、係止部１８０と押さえ部１８１の間に拡径部２１０が形成されている。この場合、拡径部２１０が係止部１８０或いは押さえ部１８１に当接することによってチューブ１５０の延在方向Ｙへの位置ずれを抑制できる。
【００６３】
例えば図１４に示すようにパネル１５１の外周部Ｒ３には、チューブ１５０の延在方向Ｙに沿って２つの係止部１８０が設けられ、その２つの係止部１８０の間に拡径部２１０が形成されている。この場合、拡径部２１０がいずれかの係止部１８０に当接することによってチューブ１５０の延在方向Ｙへの位置ずれを抑制できる。なお、かかる例において係止部１８０の延在方向Ｙの外側（図１４の上側）には、押さえ部１８１が形成されている。
【００６４】
加えて図１４に示すようにパネル１５１の外周部Ｒ３には、チューブ１５０の延在方向Ｙに沿って一つの係止部１８０が設けられ、その係止部１８０の延在方向Ｙの内側（図１４の下側）に拡径部２１０が形成されている。この場合、拡径部２１０が係止部１８０に当接することによってチューブ１５０の延在方向Ｙへの位置ずれを抑制できる。なお、かかる例において係止部１８０の外側には、押さえ部１８１が形成されている。
【００６５】
図示しないが、パネル１５１にチューブ１５０の延在方向Ｙに沿って２つの押さえ部１８１が設けられ、その２つの押さえ部１８１の間に拡径部２１０が形成されてもよい。
【００６６】
パネル１５１には、図１１に示すように上述の他の拡径部２１０を収容する凹部２１１が形成されていてもよい。かかる場合、チューブ１５０とパネル１５１の表面が拡径部２１０によって離れることを抑制できる。
【００６７】
図１５に示すようにチューブ１５０は、第１のチューブ１５０ａから第２のチューブ１５０ｂが分岐する分岐部２２０を有し、パネル１５１の外周部Ｒ４には、分岐部２２０の第１のチューブ１５０ａの延在方向Ｙ１及び第２のチューブ１５０ｂの延在方向Ｙ２の位置ずれを抑制する突起部２２１が設けられていてもよい。例えば第１のチューブ１５０ａと第２のチューブ１５０ｂは、Ｔ字状に接続され、突起部２２１は、例えば分岐部２２０のＴ字に沿ったＬ字状に形成されている。
【００６８】
分岐部２２０は、拡径している。分岐部２２０は、隣接するチューブ１５０の他の部分に連結されて形成されてもよいし、他の部分と一体成型されてもよい。また、分岐部２２０は、チューブ１５０の他の部分よりも硬い材質で形成されていてもよい。分岐部２２０は、チューブ１５０の他の部分よりも例えば０.８ｍｍ以上半径が大きい。
【００６９】
パネル１５１には、分岐部２２０が収容される凹部２２３が形成されている。凹部２２３は、平面視で凸形状を有している。凹部２２３は、図１１に示した凹部２００と同様に基準平面Ａに対し凹んでおり、分岐部２２０とその他の部分との半径差ｄと同程度の深さＤを有している。なお、分岐部２２０は、図２における第２のライン５５と循環ライン５９が接続される分岐部１１１であってもよい。
【００７０】
また図１５に示すように第２のチューブ１５０ｂの突起部２２１の前方側（分岐部２２０の反対側（図１５の右側））には、拡径部２１０が形成され、その拡径部２１０の前方側のパネル１５１に係止部１８０が設けられている。第１のチューブ１５０ａの分岐部２２０の内側（図１５の上側）のパネル１５１には係止部１８０が設けられ、係止部１８０と分岐部２２０との間には押さえ部１８１が設けられている。
【００７１】
かかる例によれば、分岐部２２０が突起部２２１に当接することより第１のチューブ１５０ａと第２のチューブ１５０ｂの延在方向Ｙ１、Ｙ２の位置ずれを抑制できる。この結果、分岐部２２０の周辺においてチューブ１５０が浮き上がりパネル１５１の表面から離れて係止部１８０から外れることを抑制できる。
【００７２】
分岐部２２０が拡径しているので、例えば突起部２２１に当接する部分の強度を上げることができる。これにより、チューブ１５０が強い力で引っ張られても分岐部２２０が破損、閉塞することを防止できる。
【００７３】
パネル１５１には分岐部２２０を収容する凹部２２３が設けられているので、チューブ１５０の分岐部２２０の流路が他の部分の流路よりもパネル１５１から離れてチューブ１５０の流路が曲がることを抑制できる。
【００７４】
以上、添付図面を参照しながら本発明の好適な実施の形態について説明したが、本発明はかかる例に限定されない。当業者であれば、特許請求の範囲に記載された思想の範疇内において、各種の変更例または修正例に想到し得ることは明らかであり、それらについても当然に本発明の技術的範囲に属するものと了解される。
【００７５】
例えば以上の実施の形態においてパネル１５１の構成、形状等は、他のものであってもよい。パネル１５１におけるチューブ１５０の配置は、他のものであってもよい。例えば係止部１６０、押さえ部１６１及び溝部１６２がパネル１５１の外周部の一箇所に設けられていたが、複数箇所に設けられていてもよい。また、係止部１６０、押さえ部１６１及び溝部１６２の設置場所も、本実施の形態のものに限られない。他の係止部１８０、押さえ部１８１の数や設置場所も、本実施の形態のものに限られない。またパネル回路１によって一部が構成される液体回路４０は、本実施の形態のものに限られない。また、パネル回路１が装着される体液処理装置２は、腹水処理を行うものであったが、これに限られず、血漿交換療法、白血球除去療法、持続緩徐式血液濾過療法、透析治療などの血液処理を行うものであってもよい。さらに、本発明は、他の体液、例えば胸水などの他の体腔液を処理する体液処理装置のパネル回路に適用してもよい。
【産業上の利用可能性】
【００７６】
本発明は、体液処理装置に用いられるパネル回路のチューブがパネルから外れることを抑制する際に有用である。
【符号の説明】
【００７７】
１  パネル回路
２  体液処理装置
１５０  チューブ
１５１  パネル
１６０  係止部
１６１  押さえ部
１６２  溝部
Ｘ  嵌め込み方向
Ｙ  延在方向
【図１】
2018143365.tif 000003
【図２】
2018143365.tif 000004
【図３】
2018143365.tif 000005
【図４】
2018143365.tif 000006
【図５】
2018143365.tif 000007
【図６】
2018143365.tif 000008
【図７】
2018143365.tif 000009
【図８】
2018143365.tif 000010
【図９】
2018143365.tif 000011
【図１０】
2018143365.tif 000012
【図１１】
2018143365.tif 000013
【図１２】
2018143365.tif 000014
【図１３】
2018143365.tif 000015
【図１４】
2018143365.tif 000016
【図１５】
2018143365.tif 000017